(57)【要約】【課題】ＩＣチップの脱落を簡易な構成によって好適に防止し得る制御基板ユニットを提供する。【解決手段】ＩＣソケット８を、実装面に実装されてＩＣチップ７が上部に装着されるソケット本体２４と、該ソケット本体２４と係合してソケット本体２４上に装着されたＩＣチップ７を上方から保持するソケットカバー２５とで構成し、また、制御基板収納ケース２を、制御基板３の実装面側を覆う樹脂製のケースカバー４と、実装面の裏側を覆う底板５とを組み付けてなる構成とし、ケースカバー４の天壁面１６に、先端１９をソケットカバー２５の上端に当接又は近接してソケットカバー２５がソケット本体２４から浮き上がるのを阻止する離脱防止突部１８を一体的に形成した。【選択図】図６
2010069077.tif 000002
【特許請求の範囲】
【請求項１】
遊技を制御する制御基板を制御基板収納ケースに収容してなる遊技機の制御基板ユニットであって、
前記制御基板には、実装面に実装されたＩＣソケットにＩＣチップが脱着可能に装着されており、
前記ＩＣソケットは、前記実装面に実装されてＩＣチップが上部に装着されるソケット本体と、該ソケット本体と係合してソケット本体上に装着されたＩＣチップを上方から保持するソケットカバーとを備えており、
前記制御基板収納ケースは、前記制御基板の実装面側を覆う樹脂製のケースカバーと、前記実装面の裏側を覆う底板とを組み付けてなるものであり、該ケースカバーの天壁面には、先端を前記ソケットカバーの上端に当接又は近接して前記ソケットカバーがソケット本体から浮き上がるのを阻止する離脱防止突部が一体的に形成されていることを特徴とする遊技機の制御基板ユニット。
【請求項２】
前記ケースカバーは、透明樹脂で構成されていることを特徴とする請求項１記載の遊技機の制御基板ユニット。
【請求項３】
前記ケースカバーの天壁面に、ＩＣチップの上方において凸状に膨出し、ＩＣチップの上面を拡大視可能とする凸レンズが一体的に形成されていることを特徴とする請求項２記載の遊技機の制御基板ユニット。
【発明の詳細な説明】
【技術分野】
【０００１】
本発明は、パチンコ機やスロットマシンなどの遊技機に配設される制御基板ユニットに関する。
【背景技術】
【０００２】
パチンコ機やスロットマシンなどの遊技機の制御基板には、大当り発生確率などの遊技制御内容が書き込まれたＩＣチップが配設されている。この遊技制御内容は、法的規制に沿って設定されており、勝手に変更することが禁じられている。しかしながら、かかるＩＣチップは、その仕様上、基板に実装されたＩＣソケットに脱着可能に取り付けられているため、物理的にはＩＣチップを別のＩＣチップに交換可能である。このため、従来の遊技機では、制御基板を樹脂製の制御基板収納ケースに収容し、ケースと制御基板を制御基板ユニットとして一体化することによりＩＣチップの交換を防止している。具体的には、制御基板収納ケースは、制御基板の実装面側を覆う樹脂製のケースカバーと、前記実装面の裏側を覆う底板とを特殊ネジ等によって分離不能に組み付けてなるものであり、制御基板収納ケースに一旦収容された制御基板は、制御基板収納ケースを大きく破壊しない限り取り出すことができない（例えば、特許文献１）。
【０００３】
また、図３，４に例示するように、ＩＣチップ７を装着するＩＣソケット８として、制御基板３に実装されてＩＣチップ７が上部に装着されるソケット本体２４と、該ソケット本体２４と係合してソケット本体２４上に装着されたＩＣチップ７を上方から保持するソケットカバー２５とを備える構成が用いられている。かかるＩＣソケット８では、ソケット本体２４の上部にＩＣチップを取り付けた後に、ＩＣチップ７の上に被せるようにしてソケットカバー２５をソケット本体２４に係合させることによりＩＣチップ７を固定する。かかるタイプのＩＣソケット８は、ソケットカバー２５によってＩＣチップ７を保持するため、ＩＣチップのリードを挿し込んで保持する一般的なＩＣソケットに比べてリードに負荷が加わり難く、リードの細い小型のＩＣを適切に装着でき、また、手作業で装着し易いという利点がある。
【０００４】
【特許文献１】特開２００７−１４３７５２号公報
【発明の開示】
【発明が解決しようとする課題】
【０００５】
ところで、ソケット本体とソケットカバーからなる上記ＩＣソケットは、振動や衝撃等によってソケットカバーとソケット本体の係合が外れてソケットカバーが浮き上がり、ＩＣチップがＩＣソケットから脱落してしまうことがある。こうした場合、制御基板は制御基板収納ケースに収容されて外部から細工できないようになっているため、制御基板収納ケースを破壊しない限り脱落したＩＣチップを再装着することができない。
【０００６】
こうした問題に対して、ソケット本体とソケットカバーを強く係合させて、振動等ではソケットカバーが外れないようにすることが提案される。しかしながら、ソケット本体とソケットカバーの係合を強くすると、ソケットカバーを係合させる際に強い力が必要となり、ソケットカバーを係合する作業が煩雑となる。また、複雑な係合機構が必要となり、コスト面の負担が大きくなる。
【０００７】
本発明はかかる問題の解決を試みたものであり、制御基板に上記ＩＣソケットを備えた構成にあって、ＩＣチップの脱落を好適に防止し得る、遊技機の制御基板ユニットの提供を目的とする。
【課題を解決するための手段】
【０００８】
本発明は、遊技を制御する制御基板を制御基板収納ケースに収容してなる遊技機の制御基板ユニットであって、前記制御基板には、実装面に実装されたＩＣソケットにＩＣチップが脱着可能に装着されており、前記ＩＣソケットは、前記実装面に実装されてＩＣチップが上部に装着されるソケット本体と、該ソケット本体と係合してソケット本体上に装着されたＩＣチップを上方から保持するソケットカバーとを備えており、前記制御基板収納ケースは、前記制御基板の実装面側を覆う樹脂製のケースカバーと、前記実装面の裏側を覆う底板とを組み付けてなるものであり、該ケースカバーの天壁面には、先端を前記ソケットカバーの上端に当接又は近接して前記ソケットカバーがソケット本体から浮き上がるのを阻止する離脱防止突部が一体的に形成されていることを特徴とする遊技機の制御基板ユニットである。
【０００９】
かかる構成にあっては、振動等によってソケットカバーとソケット本体の係合が緩んでも、ソケットカバーの上端には、離脱防止突部の先端が当接又は近接しているため、ソケットカバーは離脱防止突部に邪魔されてソケット本体から浮き上がらず、ＩＣチップがソケット本体から脱落することがない。
【００１０】
本発明に係る離脱防止突部は、ソケットカバーの浮き上がりを完全に防止する構成に限らず、ＩＣチップのリードとＩＣソケットのコンタクトの電気的接続が緩まない程度にソケットカバーの浮き上がりを防止するものであればよい。
【００１１】
本発明において、前記ケースカバーは、透明樹脂で構成されていることが望ましい。かかる構成にあっては、仮にソケットカバーが浮き上がったとしても容易に発見できるため、監視負担が軽減される。ここで、透明樹脂とは、無色透明に限らず、有色透明なものを含む。ケースカバーを構成する樹脂材料は、既存の制御基板収納ケースの構成材料を好適に採用できる。
【００１２】
また、ケースカバーが透明樹脂で構成される場合にあっては、前記ケースカバーの天壁面に、ＩＣチップの上方において凸状に膨出し、ＩＣチップの上面を拡大視可能とする凸レンズが一体的に形成されている構成が提案される。かかる構成にあっては、透明なケースカバーに形成された凸レンズを介して、ケースの外側からＩＣチップの上面に印字されたＩＣチップの識別情報を拡大視可能となるから、ＩＣチップが真正なものであるか否かを容易に判定可能となる。
【００１３】
本発明に係る離脱防止突部の形状は特に限定されるものではないが、リブ状、柱状、突起状などが挙げられる。また、一つのＩＣソケットに対して複数の離脱防止突部を近接させてもかまわない。また、制御基板にＩＣソケットが複数設けられる場合には、少なくとも一つのＩＣソケットのソケットカバーに対して離脱防止突部が形成されていればよい。
【００１４】
本発明にあって、前記ソケットカバーは、前記ソケット本体に被せた状態で前記実装面方向にスライドすることにより上昇不能に係止されるものであり、前記離脱防止突部の先端は、係止された前記ソケットカバーの側端に当接又は近接し、該ソケットカバーがスライドして上昇可能となるのを阻止している構成が提案される。かかる構成にあっては、離脱防止突部によってソケット本体とソケットカバーの係合が外れるのを防止できるため、ＩＣチップの脱落をより確実に防止できる。
【００１５】
また、上述のように、本発明の特徴は制御基板収納ケースの内部構造にあるから、本発明に係る制御基板収納ケースは、既存の制御基板収納ケースと同様にしてパチンコ機やスロットマシン等の遊技機へ配設できる。
【発明の効果】
【００１６】
以上のように、本発明によれば、ケースカバーの天壁面に一体的に形成された離脱防止突部によって、ソケット本体からソケットカバーが浮き上がるのを防止できるから、振動等によってソケット本体とソケットカバーの係合が緩んでもＩＣチップがソケット本体から脱落することがない。また、かかる離脱防止突部は、ケースカバーと一体的に配設可能であり、低廉に形成できるという利点がある。また、ＩＣチップやソケットカバーは従来構成同様の手順で装着できるため、装着作業が煩雑となることもない。
【発明を実施するための最良の形態】
【００１７】
本発明の実施形態を、以下の実施例に従って説明する。
【００１８】
本実施例の制御基板ユニット１は、図１に示すように、制御基板収納ケース２に制御基板３を収容してなるものである。制御基板収納ケース２は、制御基板３の実装面１０を覆う透明樹脂製のケースカバー４と、該実装面１０の裏側を覆う樹脂製の底板５とで構成される。制御基板３とケースカバー４の各四隅には貫通孔１１，１２が夫々形成されており、ケースカバー４、制御基板３、底板５を積層状に配置した状態で、各貫通孔１１，１２に止めネジ１３を挿通して、底板５の四隅に設けられたネジ孔１４に螺合させることにより、ケースカバー４、制御基板３、底板５が積層方向に緊締されて一体化される。ここで、止めネジ１３は緊締方向にしか回転操作できない特殊ネジであり、一体化された制御基板３、ケースカバー４、底板５は、緊締部分を破壊しない限り分離できない。
【００１９】
制御基板３は、薄板形状で、回路パターン（図示省略）が形成された一般的なプリント基板であり、片面に各種電子部品を装着する実装面１０を具備している。実装面１０には、図１，２に示すようにＩＣソケット８が実装されており、該ＩＣソケット８にＩＣチップ７が脱着可能に装着される。また、図示省略しているが、実装面１０には、ＩＣソケット８以外に多数の電子部品（抵抗、コンデンサ等）が半田ロウを介して実装されている。また、実装面１０の外側縁には、パチンコ機に配設される他の基板や電源と接続するためのコネクタ受け部９が実装されている。
【００２０】
本実施例の制御基板ユニット１は、後述するようにパチンコ機に配設されるものであり、前記ＩＣチップ７には、大当り発生確率などのパチンコ遊技に係る制御内容が記憶される。また、ＩＣチップ７の上面にはチップ固有の識別情報１７が印字される。図３，４に示すように、ＩＣソケット８は、ソケット本体２４とソケットカバー２５とで構成される。ソケット本体２４は、ＩＣチップ７のリード２７と弾接する板バネ状のコンタクト２６を備え、制御基板３の実装面１０に表面実装される。矩形枠状のソケットカバー２５は、ソケット本体２４に係脱可能となっており、ＩＣチップ７をソケット本体２４に装着し、ソケットカバー２５をソケット本体２４に係合させると、ソケットカバー２５によって上方からリード２７の端部を保持されてＩＣチップ７がソケット本体２４から離脱不能となる。詳述すると、ソケット本体２４の両側部にはコンタクト２６の上方位置に、複数の係合突部２８が形成されており、また、ソケットカバー２５の内周面には該係合突部２８と係合する係合溝２９が形成されており、ソケットカバー２５をソケット本体２４に被せてＩＣチップ７のリード２７を上方から押圧し、かかる状態で、ソケットカバー２５を図３中の矢印方向にスライドさせると、係合突部２８と係合溝２９が上下に噛合してソケット本体２４とソケットカバー２５が係合してソケットカバー２５が上昇不能となり、ＩＣチップ７はソケットカバー２５によってコンタクト２６に弾接した状態で保持される。また、かかる係合状態から、図３中の矢印と逆方向にソケットカバー２５をスライドさせると、ソケット本体２４とソケットカバー２５の係合が解除され、ソケットカバー２５及びＩＣチップ７を取外し可能となる。なお、かかるＩＣチップ７とＩＣソケット８は、既存の遊技機の制御基板に用いられる公知品であり、詳細な説明は省略する。
【００２１】
図１，５に示すように、ケースカバー４は、制御基板３の上方に実装面１０を覆うように配置される、下部が開放した箱状樹脂部材である。ケースカバー４は、透明な合成樹脂材で構成されており、これにより、制御基板３に実装された電子部品等を外部から視認可能としつつ、制御基板３の実装面１０を外界から保護している。また、ケースカバー４の天板１５は、主面となる高背部１５ａと、高背部１５ａの側傍で帯状に形成された高背部１５ａより背の低い低背部１５ｂとで構成される。
【００２２】
ケースカバー４の天壁面１６であって、ＩＣチップ７と対向する部分には離脱防止突部１８が下方に突成される。離脱防止突部１８は、図５〜７に示すように、ケースカバー４と一体的に形成されており、その断面は略凹字状をなし、その先端（下端）１９はロ字状をなしている。そして、離脱防止突部１８の先端１９は、ＩＣソケット８のソケットカバー２５の上端に対して殆ど隙間なく近接している。かかる構成にあっては、離脱防止突部１８の先端１９と、ソケットカバー２５の上端との間には殆ど隙間が存在しないため、仮に、ソケット本体２４とソケットカバー２５の係合が外れたとしてもソケットカバー２５は殆ど浮き上がらず、ＩＣチップ７のリード２７とソケット本体２４のコンタクト２６との電気的接続が緩むことがない。さらに言えば、図６，７に示すように、離脱防止突部１８の先端１９は、ソケットカバー２５の上端に近接すると同時に、ソケットカバー２５の上部を囲繞するようにしてソケットカバー２５の側端にも近接しているため、ソケットカバー２５が殆どスライドできない。このため、本実施例にあっては、ソケット本体２４とソケットカバー２５の係合が外れることもない。
【００２３】
また、図５〜７に示すように、ケースカバー４の天壁面１６であって、ＩＣチップ７と対向する部分には、下方へ凸状に膨出する凸レンズ２１が一体的に形成される。かかる凸レンズ２１は、離脱防止突部１８の先端１９に囲まれた凹部に形成されて、ＩＣチップ７上面の識別情報１７の直上に位置している。かかる凸レンズ２１によれば、透明なケースカバー４を介して、制御基板ユニット１の外側からＩＣチップ７の識別情報１７を拡大視することができる。
【００２４】
そして、低背部１５ｂであってコネクタ受け部９と対向する部位には、厚み方向に貫通するコネクタ接続用開口２２が開口している。このコネクタ接続用開口２２は、上述のコネクタ受け部９が挿通し得る大きさで開口しており、コネクタ受け部９がコネクタ接続用開口２２に挿通されて外部に露出し、これにより、配線ケーブルのコネクタをコネクタ受け部９に接続可能となっている。
【００２５】
また、制御基板３の実装面１０の裏側を覆う底板５は、図１に示すように、上部が開口する箱状樹脂部材であり、制御基板ユニット１の底部を構成する。底板５は、止めネジ１３により制御基板３と連結された状態で、制御基板３をその内部に収納して当該制御基板３を保持するものである。また、底板５の下底面には図示しない連結部材が一体的に設けられており、制御基板ユニット１は、該連結部材を介することによって、図６に示すように、パチンコ機Ｐの背面に装着される。ここで、図６において、Ｕは他の制御基板ユニットであり、Ｒは制御基板ユニット等を固定する裏機構板である。
【００２６】
かかる制御基板ユニット１にあっては、ケースカバー４の天壁面１６に一体的に形成された離脱防止突部１８がソケットカバー２５の上端に略隙間なく近接しているから、ソケット本体２４とソケットカバー２５の係合が緩んだとしても、ソケットカバー２５は殆ど浮き上がらず、ＩＣチップ７を上方から保持し続ける。したがって、かかる構成にあっては、仮にソケットカバー２５の係合が外れたとしてもＩＣチップ７とソケット本体２４の電気的接続が緩むことがない。
【００２７】
また、離脱防止突部１８の先端１９は、ソケットカバー２５を囲繞するように突出してソケットカバー２５の側端にも近接しているから、ソケット本体２４と係合したソケットカバー２５は離脱防止突部１８に阻止されて殆どスライドせず、ソケット本体２４とソケットカバー２５の係合が外れることがない。
【００２８】
また、かかる構成にあっては、制御基板収納ケース２に収容する際に、ソケットカバー２５が浮き上がっていたり、実装面１０方向にずれていたりすると、離脱防止突部１８がソケットカバー２５に衝突することとなるから、ＩＣチップ７やソケットカバー２５の装着不良をケース収容時に容易に発見できる。
【００２９】
また、かかる構成にあっては、ＩＣチップ７と対向する部分に設けられた凸レンズ２１によって、ＩＣチップ７上面の識別情報１７を拡大視可能となっているから、ＩＣチップ７が真正なものであるか否かを容易に確認できる。
【００３０】
次に、図９，１０を参照して、上記実施例から離脱防止突部の構成を変更した変形例の制御基板ユニット１ａについて説明する。なお、上記実施例と構成の共通する部分については符号を共通させて説明を省略する。
【００３１】
本変形例の離脱防止突部１８ａは、上記実施例同様に、制御基板収納ケース２ａのケースカバー４ａの天壁面１６に、ＩＣチップ７と対向するようにして一体的に形成される。ここで、離脱防止突部１８ａは直方体状をなしており、その先端１９ａはＩＣチップ７及びソケットカバー２５の上端全体に近接するように配置される。かかる構成にあっては、離脱防止突部１８ａの先端１９ａと、ソケットカバー２５並びにＩＣチップ７の上端とが殆ど隙間なく近接しているため、振動等によってソケットカバー２５とソケット本体２４の係合が外れても、ソケットカバー２５は殆ど浮き上がらず、ＩＣチップ７とソケット本体２４の電気的接続が緩むことがなく、ＩＣチップ７がソケット本体２４から脱落することもない。このように、本発明に係る離脱防止突部は、ソケットカバーの上端に近接させるだけでも構わない。
【００３２】
なお、本発明の制御基板ユニットは、上記実施例の形態に限らず本発明の要旨を逸脱しない範囲内において種々変更を加えることができる。例えば、上記実施例はパチンコ機用の制御基板ユニットであるが、本発明はパチンコ機用に限らず、スロットマシンなどの、制御基板ユニットを備える遊技機全般に適用可能である。また、本発明に係るＩＣソケットは、実施例の構成に限定されず、ソケット本体とソケットカバーを備えるＩＣソケットを広く採用できる。
【図面の簡単な説明】
【００３３】
【図１】制御基板ユニット１の分解斜視図である。
【図２】制御基板ユニット１の平面図である。
【図３】ＩＣチップ７とＩＣソケット８を分離して示す斜視図である。
【図４】ＩＣチップ７とＩＣソケット８の断面図である。
【図５】ケースカバー４の天壁面１６を示す斜視図である。
【図６】図２中のＡ−Ａ部分の断面図である。
【図７】図２中のＢ−Ｂ部分の断面図である。
【図８】制御基板ユニット１の装着例を示すパチンコ機Ｐの背面図である。
【図９】変形例のケースカバー４ａの天壁面１６を示す斜視図である。
【図１０】ＩＣチップ７部分で切断して示す制御基板ユニット１ａの正面図である。
【符号の説明】
【００３４】
１，１ａ 制御基板ユニット
２，２ａ 制御基板収納ケース
３  制御基板
４，４ａ ケースカバー
５  底板
７  ＩＣチップ
８  ＩＣソケット
１０  実装面
１６  天壁面
１７  識別情報
１８，１８ａ  離脱防止突部
１９，１９ａ  先端
２１  凸レンズ
２４  ソケット本体
２５  ソケットカバー
【図１】
2010069077.tif 000003
【図２】
2010069077.tif 000004
【図３】
2010069077.tif 000005
【図４】
2010069077.tif 000006
【図５】
2010069077.tif 000007
【図６】
2010069077.tif 000008
【図７】
2010069077.tif 000009
【図８】
2010069077.tif 000010
【図９】
2010069077.tif 000011
【図１０】
2010069077.tif 000012